(57)【特許請求の範囲】
【請求項１】
下記一般式（１）〜（４）で示される水溶性溶剤の群から選ばれる少なくとも一種の水溶性溶剤、ポリエーテル変性シリコーンオイル及び水を含有することを特徴とする繊維製品のしわ取り用水性組成物。
【化１】
0003720472.tif 000006
R9-O-(EO)p-H    ・・・・ 式（３）
R10-O-(PO)q-H    ・・・・式（４）
（式中、R1は水素、メチル基又はエチル基、R2、R3及びR4はそれぞれ水素又はメチル基、R5は水素、メチル基又はエチル基、R6及びR7はそれぞれ水素又はメチル基、R8はメチル基又はエチル基、R9はエチル基、プロピル基又はブチル基、R10 は水素、メチル基又はエチル基、ｍは０〜２の整数、ｎは０〜１の整数、ｐは１〜３の整数を、ｑは１〜２の整数、EOはエチレンオキシド、POはプロピレンオキシドを示す。）
【請求項２】
繊維製品のしわ部に請求項１記載のしわ取り用水性組成物を施し、放置することを特徴とする繊維製品のしわ取り方法。
【発明の詳細な説明】
【０００１】
【発明の属する技術分野】
本発明は、ワイシャツなどの各種シャツ、スーツ、ズボン、スカートなどの繊維製品のしわ取り用水性組成物に関するものである。より詳しくは、アイロンがけやプレスを必要とせず、衣類の皺部にスプレーした後、放置するだけの操作で衣類に出来た皺をとることができる繊維製品のしわ取り用水性組成物に関するものである。
【従来の技術】
スーツやズボンなどの衣類は着用中、又は保存中に皺ができることが多く、特に夏場においては上着を手に持ち歩く機会が多いため皺ができ易く美観を損ねてしまうことが多い。
通常、衣類にできてしまった皺を伸ばす手段としては、アイロンがけやスチームプレスを用いる方法が知られているが、このような方法は電源や熱源を必要としており、どこでも手軽に使うことができないといった欠点を有している。
アイロンがけやスチームプレスを用いず衣類の皺を伸ばす手段としては、特開昭６４−６１７４号公報にエチルアルコール、プロピルアルコール、イソプロピルアルコールからなる群から選択されるアルコールとグリセリンと非イオン界面活性剤と水を組合せた組成物を衣類に噴霧後乾燥させることにより衣類の皺を取り除く方法が開示されている。この方法は綿やポリエステル布等の水による縮みを起こさないような衣類に対しては有効な方法であるが、水に接触すると縮みを起こしやすい衣類、特にウール・レーヨン・キュプラ等の衣類に対してこの手法を用いると、衣類の皺は除去できるが組成物中の水の影響で縮みが起こるだけでなく、さらに組成物中に含まれているアルコールが縮みをより促進し、衣類の型くずれを引き起こすといった欠点を有していることが明らかとなった。
【０００２】
【発明が解決しようとする課題】
本発明は、アイロンがけやプレスを必要とせず、衣類の皺部にスプレーした後、放置するだけの操作で手軽に衣類に出来た皺をとることができる繊維製品のしわ取り用水性組成物を提供することを目的とする。本発明は、又、効率的な繊維製品のしわ取り方法を提供することを目的とする。
【課題を解決するための手段】
本発明は、特定の水溶性溶剤及びポリエーテル変性シリコーンオイルを含有する水性組成物が、衣類に対し良好な除皺効果を示すとの知見に基づいてなされたのである。
すなわち、本発明は、下記一般式（１）〜（４）で示される水溶性溶剤の群から選ばれる少なくとも一種の水溶性溶剤、ポリエーテル変性シリコーンオイル及び水を含有することを特徴とする繊維製品のしわ取り用水性組成物を提供する。
【０００３】
【化２】
0003720472.tif 000002
【０００４】
R9-O-(EO)p-H    ・・・・ 式（３）
R10-O-(PO)q-H    ・・・・式（４）
（式中、R1は水素、メチル基又はエチル基、R2、R3及びR4はそれぞれ水素又はメチル基、R5は水素、メチル基又はエチル基、R6及びR7はそれぞれ水素又はメチル基、R8はメチル基又はエチル基、R9はエチル基、プロピル基又はブチル基、R10 は水素、メチル基又はエチル基、ｍは０〜２の整数、ｎは０〜１の整数、ｐは１〜３の整数を、ｑは１〜２の整数、EOはエチレンオキシド、POはプロピレンオキシドを示す。）
本発明は、又、繊維製品のしわ部に上記しわ取り用水性組成物を施し、放置することを特徴とする繊維製品のしわ取り方法を提供する。
【０００５】
【発明の実施の形態】
本発明で用いる一般式（１）で示される水溶性溶剤として、具体的には、ヘキシレングリコール（２−メチル−２，４−ペンタンジオール）、イソプレングリコール（３−メチル−１，３−ブタンジオール）、１，２−ブチレングリコール、２，３−ブチレングリコール、１，３−ブチレングリコール、１，４−ブチレングリコール、１，３−プロピレングリコール、１，２−プロピレングリコールなどの一種又は二種以上の混合物があげられる。
一般式（２）で示される水溶性溶剤として、具体的には、３−メチル−３−メトキシブタノール、３−メトキシブタノール、１−エトキシ−２−プロパノールなどの一種又は二種以上の混合物があげられる。
一般式（３）で示される水溶性溶剤として、具体的には、ジエチレングリコールモノエチルエーテル、ジエチレングリコールモノプロピルエーテル、ジエチレングリコールモノブチルエーテル、トリエチレングリコールモノエチルエーテルなどの一種又は二種以上の混合物があげられる。
【０００６】
一般式（４）で示される水溶性溶剤として、具体的には、プロピレングリコールモノエチルエーテル、ジプロピレングリコール、ジプロピレングリコールモノメチルエーテルなどの一種又は二種以上の混合物があげられる。
上記水溶性溶剤のうち好ましくは、一般式（１）または一般式（４）で示される水溶性溶剤であり、特にヘキシレングリコール、イソプレングリコール及びジプロピレングリコールが好ましい。
一般式（１）〜一般式（４）の水溶性溶剤は、２種以上を組合せて用いても良い。
これら水溶性溶剤の好ましい量としては、しわ取り用水性組成物中、１重量％（以下、％と略称する）〜３０％であり、更に好ましくは１％〜２５％、特に好ましくは５％〜２０％である。
本発明で用いるポリエーテル変性シリコーンオイルとしては、アルキル（炭素数１〜３）シロキサンとポリオキシアルキレン（アルキレン基の炭素数が２〜５が好ましい）の共重合体があげられる。このうち、ジメチルシロキサンとポリオキシアルキレン（ポリオキシエチレン、ポリオキシプロピレン、エチレンオキシドとプロピレンオキシドとのランダム又はブロック共重合体など）の共重合体が好ましく、特に２５℃での粘度が１００〜２０００センチストークスであり、水溶性のものが好ましい。このようなものとして、下記一般式（３）で表されるものが好ましい。
【０００７】
【化３】
0003720472.tif 000003
【０００８】
（式中、ｍ、ｎ、ａ及びｂは平均重合度であり、Ｒはアルキル基を表すが、これらの値は、２５℃での粘度が１００〜２０００センチストークスであり、水溶性となるように選ばれる。）
本発明で用いるポリエーテル変性シリコーンオイルの具体的な例としては、東レ・ダウ  コーニング・シリコーン株式会社製のＳＨ３７７１Ｃ、ＳＨ３７７２Ｃ、ＳＨ３７７３Ｃ、ＳＨ３７４６、ＳＨ３７４８、ＳＨ３７４９、ＳＨ８４００、ＳＦ８４１０、ＳＨ８７００、信越化学工業株式会社製のＫＦ３５１（Ａ）、ＫＦ３５２（Ａ）、ＫＦ３５４（Ａ）、ＫＦ６１５（Ａ）、東芝シリコーン株式会社製のＴＳＦ４４４０、ＴＳＦ４４４５、ＴＳＦ４４４６、ＴＳＦ４４５２、日本ユニカー株式会社製のＳＩＬＷＥＴ  Ｌ−７００１、ＳＩＬＷＥＴ  Ｌ−７００２、ＳＩＬＷＥＴ  Ｌ−７６０２、ＳＩＬＷＥＴ  Ｌ−７６０４、ＳＩＬＷＥＴ  Ｌ−７６０７Ｎ、ＳＩＬＷＥＴ  ＦＺ−２１０４、ＳＩＬＷＥＴ  ＦＺ−２１２０、ＳＩＬＷＥＴ  ＦＺ−２１６１、ＳＩＬＷＥＴ  ＦＺ−２１６２、ＳＩＬＷＥＴ  ＦＺ−２１６３、ＳＩＬＷＥＴ  ＦＺ−２１６４、ＳＩＬＷＥＴＦＺ−２１６５、ＳＩＬＷＥＴ  ＦＺ−２１６６等の一種又は二種以上の混合物があげられる。
これらポリエーテル変性シリコーンオイルの好ましい量としては、しわ取り用水性組成物中、0.０１％〜３％であり、さらに好ましくは0.０５％〜２％である。
本発明の繊維製品のしわ取り用水性組成物は、上記成分を必須とし、残部を水とするのがよいが、必要に応じ、本発明の効果を阻害しない範囲で更に以下の成分を配合することが出来る。
【０００９】
１）界面活性剤
界面活性剤は組成物の浸透性向上を目的とし配合することが可能である。用いられる界面活性剤としては特に限定はないが例えば以下のものが挙げられる。
ａ．非イオン界面活性剤
・炭素数８〜１８の１級または２級アルコールにエチレンオキサイド（ＥＯ）及び／又はプロピレンオキサイド（ＰＯ）を平均６〜１８モル付加したポリオキシアルキレンアルキルまたはアルケニルエーテル、
・平均炭素数６〜１２のアルキル基を有しエチレンオキサイドを平均６〜２０モル付加したポリオキシエチレンアルキルフェニルエーテル、
・炭素数８〜１８のアルキル基またはアルケニル基を有する脂肪酸にエチレンオキサイド（ＥＯ）及び／又はプロピレンオキサイド（ＰＯ）を平均６〜１８モル付加したポリオキシアルキレン脂肪酸エステル、
・炭素数１０〜２０のアルキル基またはアルケニル基を有するアルキルまたはアルケニルアミンオキサイド、
・炭素数１０〜２０のアルキル基またはアルケニル基を有するアルキルまたはアルケニルジエタノールアマイド
・炭素数１０〜２０のアルキル基またはアルケニル基を有するアルキルアミンまたはアルキルジメチルアミンまたはアルケニルアミンまたはアルケニルジメチルアミン・炭素数１０〜２０のアルキル基またはアルケニル基を有するアルキルアミンまたはアルケニルアミンにエチレンオキサイド（ＥＯ）及び／又はプロピレンオキサイド（ＰＯ）を平均２〜４０モル付加したポリオキシアルキレンアルキルまたはアルケニルアミン
・プロピレンオキサイドとプロピレングリコールとの縮合物にエチレンオキサイドを付加したもの（プルロニック型界面活性剤）、
・プロピレンオキサイドとエチレンジアミンとの縮合物にエチレンオキサイドを付加したもの（テトロニック型界面活性剤）、
【００１０】
ｂ．陰イオン界面活性剤
・炭素数８〜１６のアルキル基を有する直鎖または分岐鎖アルキルベンゼンスルホン酸塩
・炭素数１０〜２０のアルキル硫酸塩もしくはアルケニル硫酸塩
・炭素数１０〜２０のオレフィンスルホン酸塩
・炭素数１０〜２０のアルカンスルホン酸塩
・炭素数１０〜２０の直鎖または分岐鎖のアルキル基もしくはアルケニル基を有し、平均0.５〜８モルのエチレンオキサイドあるいはプロピレンオキサイドあるいはブチレンオキサイドあるいはエチレンオキサイド／プロピレンオキサイド＝0.１／9.９〜9.９／0.１の比で付加したアルキルエーテル硫酸塩またはアルケニルエーテル硫酸塩
・炭素数１０〜２０の直鎖または分岐鎖のアルキル基もしくはアルケニル基を有し、平均0.５〜８モルのエチレンオキサイドあるいはプロピレンオキサイドあるいはブチレンオキサイドあるいはエチレンオキサイド／プロピレンオキサイド＝0.１／9.９〜9.９／0.１の比で付加したアルキルエーテルカルボン酸塩またはアルケニルエーテルカルボン酸塩
・炭素数１０〜２０のアルキルグリセリルエーテルスルホン酸のようなアルキル多価アルコールエーテル硫酸塩
・炭素数１０〜２０の高級脂肪酸塩
【００１１】
ｃ．陽イオン界面活性剤
・炭素数１０〜２０のアルキル基もしくはアルケニル基を有するモノアルキルまたはモノアルケニルトリメチルアンモニウム塩
・炭素数８〜１６のアルキル基もしくはアルケニル基を有する塩化ベンザルコニウム
ｄ．両性界面活性剤
・炭素数１０〜２０のアルキル基もしくはアルケニル基を有するジメチルアミノ酢酸ベタイン
・炭素数１０〜２０のアルキル基もしくはアルケニル基を有するイミダゾリニウムベタイン
・炭素数８〜１８のアルキル基もしくはアルケニル基を有する脂肪酸アミドプロピルジメチルアミノ酢酸ベタイン
・炭素数８〜１８のアルキル基もしくはアルケニル基を有するＮ−アシルアミノ酸またはその塩
・炭素数８〜１８のアルキル基もしくはアルケニル基を有するＮ−アシルメチルタウリン酸塩
界面活性剤は、例えば、0.０１〜３％の量で用いるのがよい。
【００１２】
２）シリコーンオイルやアミノ変性シリコーン等のシリコーン類、例えば、0.０１〜３％の量で用いるのがよい。
３）抗菌剤、殺菌剤
４）香料
５）植物抽出物等の消臭剤
本発明のしわ取り用水性組成物は、好ましくはエアゾール又はトリガー式スプレイヤー又はポンプ式ディスペンサーを用いて霧状もしくは泡状に噴霧して用いることができる。本発明の水性組成物をエアゾールとして用いる場合、噴射剤として、液化炭化水素ガス、ジメチルエーテル、炭酸ガス、圧縮窒素ガスを用いるのが好ましい。この場合、これらの水性組成物１００重量部あたり、0.３〜５０重量部の噴射剤とともに、噴射容器に充填して使用するのがよい。
【００１３】
本発明のしわ取り用水性組成物は、繊維製品のしわ部に任意の方法で（好ましくは噴霧し）施し、室温でそのまま放置、好ましくは衣紋掛けなどに吊るして置くことにより、３０分〜１０時間程度経過すると、しわのない状態とすることができる。
【発明の効果】
本発明の繊維製品のしわ取り用水性組成物は、衣類の特に水に濡れることで縮みを起こしやすいウール、レーヨンやキュプラといった衣類に対して良好な皺取り効果を示すだけでなく、このような衣類に組成物を噴霧した際に起きる衣類の縮みを極力抑制することができる。
次に、実施例によって本発明をさらに詳細に説明するが本発明は以下の実施例に限定されるものではない。
【実施例】
実施例１
表−１に示す組成の繊維製品のしわ取り用水性組成物を調製して（表中の各成分の量は重量％である。以下同じ）、衣類の徐皺性を評価した。
【００１４】
〔衣類の徐皺評価試験〕
１）試験布
試験布としては市販のウール（サージ）を２０×５ｃｍに裁断したものを用いた。
２）評価試験
試験布を長方向と直角に５つ折りにする。そのままの状態で５Ｋｇの荷重をかけ２０℃で一晩放置する。次いで荷重をはずし、試験布の一端をクリップで固定し、縦長にして吊り下げる。調整した仕上げ剤サンプルをポンプ式ディスプンサーを用い、１５ｃｍの距離から試験布に対して４０ｇ／ｍ2 の量を噴霧する。この試験布を一晩、室内に放置した後、目視にて皺の取れ具合を判定する。
３）判定基準
○：皺が取れている
×：皺が取れていない
結果をまとめて表−１に示す。
【００１５】
【表１】
表−１
0003720472.tif 000004
【００１６】
【表２】
表−１（続き）
0003720472.tif 000005